(57)【要約】【課題】    固定金具の量産性を向上させることを鑑み、さらに、確実に固定金具によりパネル受けを固定するための二重床用パネルの支持脚構造を提供する。【解決手段】  二重床用パネルの支持脚構造において、ベース板１と、該ベース板１上に突設される支持ボルト２と、該支持ボルト２に高さ調整自在に螺着されるパネル受け３と、高さ調整後のパネル受け３の位置を固定する固定金具４と、により構成され、パネル受け３は支持ボルト２に螺着される軸部３ａ及び軸部３ａの上方に配置するパネルの載置部３ｂにより構成され、前記固定金具４は、略Ｌ字状の形状であって、前記支持ボルト２に螺着されるとともにパネル受け３の軸部３ａの下面３ｃに当接される略矩形状の螺着部４ａと、該螺着部４ａの幅よりも狭い幅であり同螺着部４ａの側端より突出するとともに前記固定金具４を回転操作する操作部４ｂと、を備える。【選択図】図１
2005226373.tif 000002
【特許請求の範囲】
【請求項１】
ベース板と
該ベース板上に突設される支持ボルトと、
支持ボルトに高さ調整自在に螺着されるパネル受けと、
高さ調整後のパネル受けの位置を固定する固定金具と、
により構成され、
パネル受けは支持ボルトに螺着される軸部及び同軸部の上方に配置するパネルの載置部により構成され、
前記固定金具は、略Ｌ字状の形状であって、前記支持ボルトに螺着されるとともにパネル受けの軸部下面に当接される略矩形状の螺着部と、該螺着部の幅よりも狭い幅であり同螺着部の側端より突出するとともに前記固定金具を回転操作する操作部と、を備えることを特徴とする二重床用パネルの支持脚構造。
【請求項２】
前記操作部の幅は、前記螺着部の幅に対して略半分であることを特徴とする請求項１記載の二重床用パネルの支持脚構造。
【発明の詳細な説明】
【技術分野】
【０００１】
本発明は、建物の床面上に所定高さで二重床用パネルを支持して二重床を形成するための二重床用パネルの支持脚に関するものである。
【背景技術】
【０００２】
従来の二重床の支持脚構造にあっては、特開平７−４８９２０号公報に示すような、ベース板５１の略中央部より支持ボルト５２が突設され、支持ボルト５２にパネル受け５３が高さ調整自在に螺着され、高さ調整後にパネル受け５３の位置を固定金具５４により固定する二重床用パネルの支持脚が存在する。
【０００３】
ところで、このもののにあっては、固定金具５４を回転させる操作部５４ａが、螺着する螺着部の略中央から側方へ突出しているので、固定金具５４自体の量産性には乏しい。また、ハンマー等で固定金具５４の操作部５４ａを叩いてパネル受け５３の位置を固定するようにしたとき、パネル受け５３と固定金具５４が近接しているので、誤ってパネル受け５３を叩いてしまう恐れも有る。
【特許文献１】特開平７−４８９２０号公報
【発明の開示】
【発明が解決しようとする課題】
【０００４】
本願発明は、上記従来の背景技術に鑑みて発明されたものであり、その課題は、固定金具の量産性を向上させることを鑑み、さらに、確実に固定金具によりパネル受けを固定するための  二重床用パネルの支持脚構造を提供することである。
【課題を解決するための手段】
【０００５】
上記課題を解決するために、本願発明は、二重床用パネルの支持脚構造において、ベース板１と、該ベース板１上に突設される支持ボルト２と、該支持ボルト２に高さ調整自在に螺着されるパネル受け３と、高さ調整後のパネル受け３の位置を固定する固定金具４と、により構成され、パネル受け３は支持ボルト２に螺着される軸部３ａ及び軸部３ａの上方に配置するパネルの載置部３ｂにより構成され、前記固定金具４は、略Ｌ字状の形状であって、前記支持ボルト２に螺着されるとともにパネル受け３の軸部３ａの下面３ｃに当接される略矩形状の螺着部４ａと、該螺着部４ａの幅よりも狭い幅であり同螺着部４ａの側端より突出するとともに前記固定金具４を回転操作する操作部４ｂと、を備えることを特徴とする。
【０００６】
また、本願発明は、前記二重床用パネルの支持脚構造において、前記操作部４ｂの幅は、前記螺着部４ａの幅に対して略半分であることを特徴とする。
【発明の効果】
【０００７】
本願発明の二重床用パネルの支持脚構造にあっては、固定金具４が、パネル受け３の軸部３ａの下面３ｃに当接するので、パネル受け３の載置部３ｂから固定金具４までの間に軸部３ａが存するので、例えばハンマー等で固定金具４を叩くときでも、誤って載置部３ｂを叩くことが抑制される。また、固定金具４が略Ｌ字状の形状であり、操作部４ｂの方が螺着部４ａよりも幅が狭い状態であるので、ハンマー等で固定金具４を締結する際に叩く箇所が明確になる。
【０００８】
また本願発明の二重床用パネルの支持脚構造にあっては、略Ｌ字状の固定金具４において、  前記操作部４ｂの幅は、前記螺着部４ａの幅に対して略半分であるので、長尺状の板から、略階段状に切断することにより、無駄な切断しろを発生させること無く、固定金具４を量産させることができる。また、操作部４ｂの方が螺着部４ａよりも幅が狭いので、固定金具４をパネル受け３に当接させてパネル受け３を略固定するに当たり、操作部４ｂに大きい力がかかっても、操作部４ｂのみ変形し、螺着部４ａのネジや、支持ボルト２のネジをつぶすことがない。
【発明を実施するための最良の形態】
【０００９】
本願の一実施形態の二重床用パネルの支持脚構造について説明する。
【００１０】
床面Ａには、ベース板１が設置されている。そのベース板１の上面に、上方へ向かって支持ボルト２が突設されている。この支持ボルト２にパネル受け３が螺着されている。
【００１１】
パネル受け３は、支持ボルト２に螺着される箇所の軸部３ａと、軸部３ａの上方に配置すると共に上面に床パネルを橋架するための受板５が載置されるための載置部３ｂと、により構成されている。
【００１２】
この受板５と載置部３ｂとの間には、弾性材６が設けられている。このことにより、受板５からの振動が弾性材６により和らげられる。
【００１３】
ここで、軸部３の下面３ｃとベース板１との間の支持ボルト２には、固定金具４が螺着されている。この固定金具４は、支持ボルト２に螺合する螺着部４ａと、螺着部４ａの側面より外方へ突出する操作部４ｂと、により構成されている。ここで、操作部４ｂの幅ｓは、螺着部４ａの幅ｗの略半分の大きさである（図２）。また、この操作部４ｂと螺着部４ａを組み合わせた形状は、略Ｌ字状となっている。この螺着部４ａの大きさは、軸部３の下面３ｃよりも大きい形状となっている。
【００１４】
この固定金具４を回転させ、パネル受け３の軸部３ａの下面３ｃの当接し、さらにハンマー等で叩くことにより回転力を加えて圧接すると、パネル受け３の軸部３ａの下面３ｃと、固定金具４の螺着部４ａと、が密着するため、この密着による摩擦力の為に、パネル受け３の回転が抑制される。従って、パネル受け３は、固定金具４により略固定される状態となる。この際、軸部３ａが存するので、ハンマー等で固定金具４を叩く際、パネル受け３の載置部３ｂを直接叩くことは抑制される。
【００１５】
この固定金具４は、形状が略Ｌ字状となっており、操作部４ｂの幅ｓが、螺着部４ａの幅ｗの略半分の大きさである為、図２に示すように、長尺状の材料から、端材を発生させずに無駄なく固定金具４を複数個生産することができる。即ち、略階段状に切断することにより、無駄な切断しろを発生させること無く、固定金具４を量産させることができる。
【００１６】
また、操作部４ｂの幅ｓが、螺着部４ａの幅ｗの略半分の大きさである為、固定金具４を回転させ、パネル受け３の軸部３ａの下面３ｃの当接し、さらに、回転力を加えて圧接するために、例えば木槌等で、操作部４ｂを叩いたときでも、操作部４ｂのみが変形し、螺着部４ａのネジや、支持ボルト２のネジが、ねじ切れすることは免れる。
【００１７】
この略Ｌ字状の固定金具４において、例えば下方から見たときに略Ｌ字になるように、該支持ボルト２に螺合させるようにすると、固定金具４において、ハンマー等で必ず決まった方向に叩くと、パネル受け３を締結する、といった目印にもなる。
【図面の簡単な説明】
【００１８】
【図１】本願発明の一実施形態である二重床用パネルの支持脚構造を示す斜視図である。
【図２】本願発明の一実施形態である二重床用パネルの支持脚構造に使用される固定金具の生産方法を示す説明図である。
【図３】従来の二重床用パネルの支持脚構造を示すものであって、（ａ）は斜視図、（ｂ）は固定金具を示す平面図である。
【符号の説明】
【００１９】
１    ベース板
２    支持ボルト
３    パネル受け
３ａ  軸部
３ｂ  載置部
３ｃ  下面
４    固定金具
４ａ  螺着部
４ｂ  操作部
【図１】
2005226373.tif 000003
【図２】
2005226373.tif 000004
【図３】
2005226373.tif 000005